【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
複数の光源を有し、複数のサブ照明領域に分割された被投射面に向けて、前記複数の光源から射出された光を第１の方向及び前記第１の方向に略直交する第２の方向に走査することにより画像を表示する走査型画像表示装置において、
前記第１の方向及び前記第２の方向のうち、一方の方向は他方の方向に比べて高速に光が走査される高速走査方向で、他方の方向は低速走査方向であり、前記低速走査方向に前記複数のサブ照明領域が配置され、
隣接する２つの前記サブ照明領域に走査される光の前記低速走査方向における走査の向きが、前記被投射面において互いに反対であることを特徴とする走査型画像表示装置。
【請求項２】
前記低速走査方向のうち第１の向きに前記複数の光源のうち一部の光源から射出された光を走査する第１低速走査部と、
前記第１の向きと反対の第２の向きに残りの前記光源から射出された光を走査する第２低速走査部と、
前記高速走査方向に前記複数の光源から射出された光を走査する高速走査部とを備えることを特徴とする請求項１に記載の走査型画像表示装置。
【請求項３】
前記第１低速走査部が、前記被投射面の一方の端部側から奇数番目の前記サブ照明領域に光を走査し、
前記第２低速走査部が、前記被投射面の一方の端部側から偶数番目の前記サブ照明領域に光を走査することを特徴とする請求項２に記載の走査型画像表示装置。
【請求項４】
前記高速走査部が、前記第１低速走査部に対応して設けられた第１高速走査部と、
前記第２低速走査部に対応して設けられた第２高速走査部とを備えることを特徴とする請求項２または請求項３に記載の走査型画像表示装置。
【請求項５】
前記第１低速走査部による走査と前記第２低速走査部による走査とが各フレームにおいて同期していることを特徴とする請求項２から請求項４のいずれか１項に記載の走査型画像表示装置。
【請求項６】
隣接する前記複数のサブ照明領域が重なる領域を有することを特徴とする請求項１から請求項５のいずれか１項に記載の走査型画像表示装置。
【請求項７】
光源を有し、被投射面に向けて前記光源から射出された光を第１の方向及び前記第１の方向に略直交する第２の方向に走査することにより画像を表示する走査型画像表示装置を複数備え、複数の照明領域に分割された被投射面に向けて、前記複数の走査型画像表示装置から射出された光を走査することにより画像を表示する走査型画像表示システムであって、
前記第１の方向及び前記第２の方向のうち、一方の方向は他方の方向に比べて高速に光が走査される高速走査方向で、他方の方向は低速走査方向であり、前記低速走査方向に前記複数の照明領域が配置され、
隣接する２つの前記照明領域に走査される光の前記低速走査方向における走査の向きが、前記被投射面において互いに反対であることを特徴とする走査型画像表示システム。
【請求項８】
前記被投射面の照明領域が、前記低速走査方向に複数のサブ照明領域に分割され、
隣接する前記複数のサブ照明領域に走査される光の前記低速走査方向における走査の向きが、前記被投射面において互いに反対であることを特徴とする請求項７に記載の走査型画像表示システム。
【請求項９】
第１の光源と、
前記第１の光源からの光を、第１の方向及び前記第１の方向に略直交する第２の方向に走査する第１の光走査部と、
第２の光源と、
前記第２の光源からの光を、前記第１の方向及び前記第２の方向に走査する第２の光走査部と、を備え、
前記第１の光走査部は、被投射面上の第１の照射領域に、前記第１の方向の走査速度よりも前記第２の方向の走査速度が低くなるように前記第１の光源からの光を照射し、
前記第２の光走査部は、前記第１の照射領域に対して前記第２の方向に沿って隣接する第２の照射領域に、前記第１の方向の走査速度よりも前記第２の方向の走査速度が低くなるように前記第２の光源からの光を照射し、
前記第１の光走査部が走査する前記第２の方向の走査の向きと、前記第２の光走査部が走査する前記第２の方向の走査の向きとが、互いに反対であることを特徴とする走査型画像表示装置。
【手続補正２】
【補正対象書類名】明細書
【補正対象項目名】００２３
【補正方法】変更
【補正の内容】
【００２３】
本発明に係る走査型画像表示システムでは、被投射面のサブ照明領域が、低速走査方向に複数のサブ照明領域に分割されている。そして、隣接する複数のサブ照明領域に走査させる光の低速走査方向が、被投射面において互いに反対方向である。したがって、各サブ照明領域間においても、継ぎ目部分における表示ズレを抑えることができるので、高解像度の画像を高品質に表示し、動画表示特性の優れた走査型画像表示システムを提供することが可能となる。
【手続補正３】
【補正対象書類名】明細書
【補正対象項目名】００２９
【補正方法】変更
【補正の内容】
【００２９】
赤色光源２１Ｒは、画像情報に基づいて光変調された赤色光を射出し、緑色光源２１Ｇは、画像情報に基づいて光変調された緑色光を射出し、青色光源２１Ｂは、画像情報に基づいて光変調された青色光を射出する。赤色光源２１Ｒ及び青色光源２１Ｂはレーザダイオードであり、緑色光源２１Ｇは波長変換型レーザダイオードである。緑色光源２１Ｇとしては、例えば、赤外光を波長変換素子により所定の波長の光に変換する構成である。また、赤色光源２１Ｒから射出される赤色光の波長は６４０ｎｍであり、緑色光源２１Ｇから射出される緑色光の波長は５３２ｎｍであり、青色光源２１Ｂから射出される青色光の波長は４４５ｎｍである。
なお、各光源２１Ｒ，２１Ｇ，２１Ｂの光変調は直接変調であり、変調速度は約１０ＭＨｚである。また、赤色光源２１Ｒ，緑色光源２１Ｇ，青色光源２１Ｂの１個あたり光出力は、赤色光が６０ｍＷ，緑色光が４０ｍＷ，青色光が３０ｍＷである。さらに、ビーム品質Ｍ２（ビーム品質を示す指標であり、実際のビーム光の拡がり角を理想的な回折限界ビームの拡がり角で除した比である）は１．５以下である。
【手続補正４】
【補正対象書類名】明細書
【補正対象項目名】００３４
【補正方法】変更
【補正の内容】
【００３４】
第１ガルバノミラー３１は、軸Ｐ１を中心に揺動し、光源２０から射出された光をスクリーン５０の左端部５０ｂ側から右端部５０ａ側に向かって（第１の走査方向）走査する。
また、第２ガルバノミラー３２は、軸Ｐ２を中心に揺動し、光源２０から射出された光を右端部５０ａ側から左端部５０ｂ側に向かって（第２の走査方向）走査する。また、第１，第２ガルバノミラー３１，３２は、図４に示すように、各照明領域Ｌ１〜Ｌ３２の右端部Ｌｂから左端部Ｌａ、あるいは、左端部Ｌａから右端部Ｌｂまで走査可能な振り角となっている。
また、第１，第２ガルバノミラー３１，３２からスクリーン５０までの投射距離を８００ｍｍとすると、第１，第２ガルバノミラー３１，３２に入射する光のビーム径はφ１．６ｍｍ程度となる。このビーム径の光を効率良く取り込めるように、第１，第２ガルバノミラー３１，３２の水平方向及び垂直方向の幅が３．２ｍｍ以上のものを用いることが好ましい。
【手続補正５】
【補正対象書類名】明細書
【補正対象項目名】００４７
【補正方法】変更
【補正の内容】
【００４７】
なお、第１，第２走査型画像表示装置１０ａ，１０ｂにより表示される画像をサブ照明領域Ｌ１〜Ｌ３２に分割したが、分割しなくても良い。すなわち、図７に示すように、第１，第２走査型画像表示装置８１ａ，８１ｂが１つの光源２０のみ有し、第１走査型画像表示装置８１ａは、スクリーン５０の左端部５０ｂ側から右端部５０ａ側に向かって光を走査し、第２走査型画像表示装置８１ｂは、スクリーン５０の右端部５０ａ側から左端部５０ｂ側に向かって光を走査するものを用いても良い。具体的な構成では、スクリーン５０に向かって左側に配置されている第１走査型画像表示装置８１ａから射出される光は、照明領域ＬＡの左端部Ｌｂから右端部Ｌａに向かって走査される。また、スクリーン５０に向かって右側に配置されている第２走査型画像表示装置８１ｂの光が、照明領域ＬＢの右端部Ｌａから左端部Ｌｂに向かって走査される。これにより、隣接する照明領域ＬＡ，ＬＢの走査方向が反対方向となるため、本実施形態と同様の効果を得ることが可能となる。
また、スクリーン５０の水平方向に２つの照明領域ＬＡ，ＬＢに分割したが、これに限らず、水平方向に３つ以上の照明領域に分けても良く、また、垂直方向に２列以上に照明領域を分けても良い。